(57)【特許請求の範囲】
【請求項１】
加飾を施した外容器内に、外表面に鏡面処理を施した内容器を収納した二重容器であって、
前記外容器は、少なくとも前記加飾を施した部分が透明または半透明であり、
前記加飾は、外層側にあり直接視認可能な表面部と、前記表面部の内層側にあり、前記内容器の外表面の色と同系色の色を有する裏面部と、を有することを特徴とする二重容器。
【請求項２】
前記外容器と、前記内容器と、の間には隙間が存在していることを特徴とする請求項１に記載の二重容器。
【発明の詳細な説明】
【技術分野】
【０００１】
本発明は、外容器内に内容器を収納した二重容器に関するものであり、特には内容器への加飾の写り込みの影響を低減して加飾の視認性を向上させた二重容器に関するものである。
【背景技術】
【０００２】
外容器内に内容器を収納組付けした二重容器は、種々の構成が提案されているが、例えば、特許文献１には、化粧品用の高級感のある二重容器として、内容器の外表面に光揮性のある塗装を施し、外容器を無色透明な樹脂材料で形成するとともに外容器の内表面に光透過性塗膜層を形成することにより、内容器の外表面の塗装と光透過性塗膜層とが合成されて、メタリックカラーが視認される二重容器が提案されている。
【先行技術文献】
【特許文献】
【０００３】
【特許文献１】特開２００８−３５８７３号公報
【発明の概要】
【発明が解決しようとする課題】
【０００４】
上述した従来の二重容器では、図３（ａ）に示すように、透明な外容器１２に加飾３０（文字「ＡＢＣＤＥ」）を施した場合、加飾３０と、加飾３０が内容器１１の外表面に写り込んだ写り込みＸ（文字「ＡＢＣＤＥ」）と、が重なり、加飾３０が視認しにくいという問題があった。これは、図３（ｂ）において矢印Ａで示すように、加飾３０の正面から加飾３０を視認する際には、写り込みＸを視認しないため、加飾３０のみを視認することができるが、加飾３０の正面以外の方向、例えば、矢印Ｂで示す方向から加飾３０を視認する際には、加飾３０と写り込みＸとの両方を視認することになるためである。
【０００５】
それゆえ、本発明は、透明な外容器に加飾を施した場合、加飾が内容器に写り込む影響を低減して、加飾の視認性を向上させた二重容器を提案することを目的とする。
【課題を解決するための手段】
【０００６】
本発明は上記課題を解決するためになされものであり、本発明の二重容器は、加飾を施した外容器内に、外表面に鏡面処理を施した内容器を収納した二重容器であって、前記外容器は、少なくとも前記加飾を施した部分が透明または半透明であり、前記加飾は、外層側にあり直接視認可能な表面部と、前記表面部の内層側にあり、前記内容器の外表面の色と同系色の色を有する裏面部と、を有することを特徴とするものである。
【０００７】
また、本発明の二重容器は、前記外容器と、前記内容器と、の間には隙間が存在していることが好ましい。
【発明の効果】
【０００８】
本発明の二重容器によれば、加飾を、外層側にあり直接視認可能な表面部と、内層側にあり内容器の外表面の色と同系色の色を有する裏面部と、から構成することにより、裏面部が内容器の外表面に写り込んだ写り込みが、外表面の色と同系色であるため、外表面と同化して目立たなくなり、加飾の視認性を向上させることができる。
【０００９】
また、外容器と内容器との間に隙間が存在している場合、通常は、写り込みの影響が大きく、加飾の視認性が著しく低下するところ、本発明の二重容器によれば、加飾の視認性を向上させつつ、内容器を外容器に容易に挿入することができる。
【図面の簡単な説明】
【００１０】
【図１】本発明に係る実施の形態の二重容器を一部断面で示した正面図である。
【図２】加飾を説明するための図である。
【図３】従来の二重容器における加飾の写り込みを説明するための図である。
【発明を実施するための形態】
【００１１】
以下、本発明の実施の形態を図面に基づき詳細に説明する。なお、以下の実施の形態では、本発明の二重容器はクリーム容器として説明するが、この実施の形態に限られることはなく、ポンプ付きの二重容器等、多種の二重構造体に使用することができる。また、本発明の二重容器は、化粧品用の容器として用いることができる他、食品容器等その他の容器としても用いることができる。
【００１２】
図１に示すように、この二重容器１は本体１０と蓋体２０とからなる。本体１０は内容器１１を外容器１２内に収納した内外二重構造を有し、蓋体２０も内容器２１を外容器２２内に収納した内外二重構造を有する。なお、二重構造とするのは、本体１０および蓋体２０のいずれか一方でもよい。内容器２１の内部にはパッキン２３が設けられ、本体１０と蓋体２０とが密封されている。
本体１０および蓋体２０は、合成樹脂、ガラス等の適宜材料から形成され、その成形方法もブロー成形、射出成形、押出成形、シート成形等、種々の成形方法を適用できる。
【００１３】
内容器１１は、口部１１ａと、口部１１ａの下端に繋がる筒状の胴部１１ｂと、該胴部１１ｂの下端を閉塞する底部１１ｃと、胴部１１ｂの外表面から半径方向外側に突出し、外容器１２の後述する口部１２ａに当接するフランジ部１１ｄと、胴部１１ｂの周りを取り囲み、外容器１２の後述する胴部１２ｂとの間に隙間を形成する外筒部１１ｅと、胴部１１ｂと底部１１ｃとの間の外表面から下向きに延在する支持部１１ｆと、からなる。口部１１ａの外表面に形成されたねじと、内容器２１の内表面に形成されたねじと、が螺合され、本体１０と蓋体２０とが嵌着されている。
【００１４】
外筒部１１ｅの外表面は、高輝度の金属調の塗装、クロムメッキ、金メッキ、蒸着等の適宜手段により鏡面（光沢）処理が施された反射面である。
【００１５】
外容器１２は、口部１２ａと、口部１２ａの下端に繋がる筒状の胴部１２ｂと、該胴部１２ｂの下端を閉塞する底部１２ｃと、底部１２ｃの内表面から上向きに延在する支持部１２ｄと、からなる。口部１２ａの段差がフランジ部１１ｄの先端を支持し、支持部１２ｄと支持部１１ｆとが係合することにより、内容器１１は外容器１２内に収納組付けされている。
【００１６】
外容器１２の胴部１２ｂは透明（または半透明）であり、図２（ａ）に示すように、胴部１２ｂには加飾３０として文字「ＡＢＣＤＥ」が施してある。
加飾３０は、ここでは、図２（ｂ）に断面図で示すように、外層側にあり直接視認可能な表面部３１と、表面部３１の内層側に直接積層された裏面部３２と、からなるが、表面部３１と裏面部３２との間に中間部を設けてもよい（図示省略）。表面部３１は加飾３０としての所望の色を有しているのに対して、裏面部３２は外筒部１１ｅの外表面と同系色の色を有している。ここで、同系色とは、色相、明度、彩度および光沢度（グロス）の全てあるいはいずれかにおいて同一あるいは類似である色のことを意味する。例えば、銀色と灰色は同系色とする。
なお、この実施の形態では、外容器１２の全体が透明であるが、少なくとも加飾３０が施された部分、図示例では、胴部１２ｂの一部分が透明であればよい。
【００１７】
加飾方法としては、ラベル（シール）を貼付する方法、転写フィルムを用いる方法（インモールド法、ホットスタンプ法、熱ロール法等）、印刷する方法（シルク印刷等）等が挙げられる。また、胴部１２ｂに印刷をする際には、例えば、ベースフィルムに剥離層、保護層、表面部３１を形成する薄膜、裏面部３２を形成する薄膜および接着層を順次に積層してなる転写フィルムを使用したホットスタンプ法を用いて１工程で印刷を行ってもよいし、１工程目でホットスタンプ法により裏面部３２を印刷し、２工程目でシルク印刷により所望の色で表面部３１を印刷してもよい。
【００１８】
図２（ｂ）に矢印Ａで示すように、加飾３０の正面から加飾３０を視認する際には、外筒部１１ｅに写り込んだ加飾３０の写り込みＸを視認しないため、加飾３０のみを視認することができるのは従来と同様である。
一方、加飾３０の正面以外の方向、例えば、矢印Ｂで示す方向から加飾３０を視認する際には、加飾３０と、外筒部１１ｅに写り込んだ加飾３０の写り込みＸと、を視認することになるが、写り込みＸは、外筒部１１ｅの外表面と同系色の色を有する裏面部３２の反射であるため、外筒部１１ｅの外表面に同化して目立たなくなる。それゆえ、加飾３０と写り込みＸとが重なっても、加飾３０が視認しにくいという問題を改善し、加飾３０の視認性を向上させることができる。
【００１９】
図２（ｂ）に示す例では、加飾３０は胴部１２ｂの外表面に施されていたが、図２（ｃ）に示すように、加飾３０は胴部１２ｂの内表面に施されていてもよい。この場合、胴部１２ｂの厚さｄの分だけ加飾３０は外筒部１１ｅの外表面に近づくため、写り込みが発生する範囲が狭くなる。
【００２０】
また、内容器１１を外容器１２に挿入しやすくするために、内容器１１と外容器１２との間、すなわち、外筒部１１ｅと胴部１２ｂとの間には通常隙間が空いているが、この隙間が大きい場合写り込みの影響が大きくなるため、本発明の効果が特に顕著に現れる。
【００２１】
この実施の形態では、外容器１２の胴部１２ｂに加飾３０を施したが、加飾３０を施す位置は限定されるものではない。例えば、蓋体２０の内容器２１の外表面に鏡面処理を施し、蓋体２０の外容器２２に加飾３０を施してもよい。また、この実施の形態では、外筒部１１ｅを設けて、この外筒部１１ｅの外表面に鏡面処理を施したが、外筒部１１ｅを設けずに、胴部１１ｂを外側から視認可能に構成して胴部１１ｂの外表面に鏡面処理を施してもよい。
【産業上の利用可能性】
【００２２】
本発明により、透明な外容器に加飾を施した場合、加飾が内容器に写り込む影響を低減して、加飾の視認性を向上させた二重容器を提案することが可能となった。
【符号の説明】
【００２３】
１      二重容器
１０    本体
１１    内容器
１１ａ  口部
１１ｂ  胴部
１１ｃ  底部
１１ｄ  フランジ部
１１ｅ  外筒部
１１ｆ  支持部
１２    外容器
１２ａ  口部
１２ｂ  胴部
１２ｃ  底部
１２ｄ  支持部
２０    蓋体
２１    内容器
２２    外容器
２３    パッキン
３０    加飾
３１    表面部
３２    裏面部
Ｘ      写り込み
【図１】
0005770075.tif 000002
【図２】
0005770075.tif 000003
【図３】
0005770075.tif 000004